(57)【要約】【課題】回転体における左右の重量のバランスが良くなるようにする。【解決手段】回転体１が円盤２；３と円盤２；３を結合する結合体４と結合体４における円盤２；３間に位置する部分に装着されたベアリング５とを備えたヨーヨーにおいて、円盤２には回路基板１１にスイッチ１２と電池１３と光源１４；１５とスピーカ１６と備えてなる発光音装置７が設けられ、円盤３には回路基板２１にスイッチ２２と電池２３と光源２４;２５と備えてなる発光装置８が設けられている。円盤３には、発光装置８に代替し、回路基板２１にスイッチ２２と電池２３と光源２４;２５とスピーカに相当する図外のスピーカを備えてなる発光音装置が設けられて、円盤２；３からも光と音とが出るようにしてもよい。【選択図】図１
2013094601.tif 000002
【特許請求の範囲】
【請求項１】
回転体が一対の円盤とこれらの円盤を連ねる結合体と結合体の円盤間に位置する部分に装着されたベアリングとを備えたヨーヨーにおいて、一方の円盤に発光装置及び発音装置を設け他方の円盤に発音装置又は発光装置を設けるか、又は、一対の円盤のそれぞれに発光装置及び発音装置を設けたことを特徴とするヨーヨー。
【請求項２】
一方の円盤又は一対の円盤に設けられた発光装置及び発音装置は回路基板にスイッチと電池と光源とスピーカと備え、他方の円盤に設けられた発音装置又は発光装置は回路基板にスイッチと電池と光源又はスピーカと備えことを特徴とする請求項１記載のヨーヨー。
【発明の詳細な説明】
【技術分野】
【０００１】
本発明は、回転体における一対の円盤を連ねる結合体に紐を巻き付け、その紐の端部を指に通して回転体を上下させて遊ぶ遊具としてのヨーヨーに関する。
【背景技術】
【０００２】
特許文献１には、一方の円盤に発光装置を内蔵したヨーヨーが記載されている。特許文献２には、一方の円盤に発音装置を内蔵したヨーヨーが記載されている。これらの特許文献で開示されたヨーヨーは、一方の円盤に発光装置又は発音装置を設けた構造であるので、一対の円盤を結合体で連ねてなる回転体における左右の重量のバランスが悪いという欠点がある。
【先行技術文献】
【特許文献】
【０００３】
【特許文献１】特開２００１−２９６６５号公報
【特許文献２】実用新案登録第３１５３１６２号公報
【発明の概要】
【発明が解決しようとする課題】
【０００４】
本発明は、上記背景技術に鑑みてなされたものであり、回転体における左右の重量のバランスが良くなるようにすることを目的とする。
【課題を解決するための手段】
【０００５】
本発明は、回転体が一対の円盤とこれらの円盤を連ねる結合体と結合体における円盤間に位置する部分に装着されたベアリングとを備えたヨーヨーにおいて、一方の円盤に発光音装置を設け他方の円盤に発音装置又は発光装置を設けるか、又は、一対の円盤のそれぞれに発光音装置を設けたことを特徴とする。本発明は、発光音装置は回路基板にスイッチと電池と光源とスピーカと備え、発音装置は回路基板にスイッチと電池とスピーカと備え、発光装置は回路基板にスイッチと電池と光源とを備えた構成であってもよい。
【発明の効果】
【０００６】
本発明は、一方の円盤に発光音装置を設け他方の円盤に発音装置又は発光装置を設けるか、又は、一対の円盤のそれぞれに発光音装置を設けたことにより、回転体における左右の重量のバランスが良くなるという効果を奏する。
【図面の簡単な説明】
【０００７】
【図１】実施の形態に係るヨーヨーを縦方向に切断して示す模式図。
【図２】実施の形態に係る回転体を分解して示す斜視図。
【図３】実施の形態に係る一方の円盤を分解して示す斜視図。
【図４】実施の形態に係る他方の円盤を分解して示す斜視。
【発明を実施するための形態】
【０００８】
図１を参照し、実施の形態に係るヨーヨーについて説明する。実施の形態に係るヨーヨーは、基本的な構成として、回転体１が一対の円盤２；３とこれらの円盤２；３を連ねるアクセルと呼ばれる結合体４と結合体４の円盤２；３間に位置する部分に装着されたベアリング５とを備える。そして、ヨーヨーは、ベアリング５の外周面にストリングと呼ばれる紐６の一端部に形成された図外の輪を嵌めた状態において、紐６をベアリング５の外周面に巻き付け、その紐６の他端部に形成された輪６ａを遊戯者の指に通して回転体１を上下させながら回転させる一方、ベアリング５に巻き付けられた紐６がベアリング５から解かれて紐６の一端部に形成された図外の輪がベアリング５に嵌められた状態となり紐６が最も延びた位置で回転体１をベアリング５の働きにより回転させ、その紐６が最も延びた位置で回転体１が回転している状態において、遊戯者が紐６を上方に素早く引き上げることにより、紐６の一部が摩擦部１０６；１５７に接触してベアリング５の外周面に巻き付けられるように遊ぶ遊具である。実施の形態に係るヨーヨーは、特徴的な構成として、一方の円盤２に発光音装置７を設け、他方の円盤３に発光装置８を設けた構成であるので、回転体１における左右の重量のバランスが良好となり、回転体１を上下させながら回転させる遊技が適切に行える。以下の説明では、一方の円盤２を円盤２と称し、他方の円盤３を円盤３と称する。尚、発光音装置７が円盤２の内部に取り付けられる構造は図３で説明する。又、発光装置８が一方の円盤３の内部に取り付けられる構造は図４で説明する。
【０００９】
図１に示すように、発光音装置７は回路基板１１にスイッチ１２と電池１３と躯体用光源１４と飾り用光源１５とスピーカ１６と備え、スイッチ１２が回転体１の回転に応じてオン動作すると、電池１３から供給される電力により躯体用光源１４と飾り用光源１５とが光を出すと共にスピーカ１６が音を出す構成であることにより、発光音装置７が発光装置と発音装置とに分かれて構成された場合よりも簡単な構造になる。躯体用光源１４と飾り用光源１５とが発光音装置７の光源を構成する。又、発光装置８は回路基板２１にスイッチ２２と電池２３と躯体用光源２４と飾り用光源２５と備え、スイッチ２２が回転体１の回転に応じてオン動作すると、電池２３から供給される電力により躯体用光源２４と飾り用光源２５とが光を出す構成である。躯体用光源２４と飾り用光源２５とが発光装置８の光源を構成する。よって、発光音装置７の構造と発光装置８の構造とを対比すると、発光音装置７がスピーカ１６を備え、発光装置８がスピーカ１６を備えていない。しかしながら、スピーカ１６は数グラムの重さの短小軽薄な小形のものが市販されているので、当該市販されているものを使用することにより、スピーカ擬似体２６を使用しなくても回転体１における左右の重量のバランスを良好に保つことができる。
【００１０】
上記円盤２の側では、発光音装置７の躯体用光源１４が円盤２の周壁に設けられた光源挿入孔１０１に挿入されて配置されているので、躯体用光源１４から出た光の一部が光源挿入孔１０１から円盤２の外側に放出され、躯体用光源１４から出た光の残部が光源挿入孔１０１から円盤２の周壁の内部に取り込まれて当該周壁を全体的に照明する。又、円盤２の側では、発光音装置７の飾り用光源１５が図３の周縁飾り具５５及び中央飾り具５４の側に向けて配置されているので、飾り用光源１５から出た光が周縁飾り具５５の図３のレンズ部８５及び傘部７４を照明する。又、円盤２の側では、発光音装置７のスピーカ１６から出た音が円盤２の貫通孔７６から円盤２の外側に放出される。又、上記円盤３の側では、発光装置８の躯体用光源２４が円盤３の周壁に設けられた光源挿入孔１５２に挿入されて配置されているので、躯体用光源２４から出た光の一部が光源挿入孔１５２から円盤３の外側に放出され、躯体用光源２４から出た光の残部が光源挿入孔１５２から円盤３の周壁の内部に取り込まれて当該周壁を全体的に照明する。又、円盤３の側では、発光装置８の飾り用光源２５が図４の中央飾り具１１１及び周縁飾り具１１２の側に向けて配置されているので、飾り用光源２５から出た光が図４の傘部１２５及びレンズ部１３６を照明する。よって、回転体１が回転し、スイッチ１２；２２がオン動作するのに伴い、躯体用光源１４から出た光と飾り用光源１５から出た光とスピーカ１６から出た音と躯体用光源２４から出た光と飾り用光源２５から出た光とによる演出が行われる。
【００１１】
図２を参照し、実施の形態に係る回転体１における一対の円盤２；３と結合体４とベアリング５と一対のベアリング支持具２７；２８とかなる部分の構造について説明する。円盤２には、結合体４が円盤２の回転の中心となる部分から円盤３の側に直線的に突出する丸棒状に設けられる。結合体４の先端部には、雄ねじ部３０が設けられる。又、円盤２における円盤３の側の壁部３１には、押さえ収容部３２が結合体４を囲みかつ円盤３の側に開口する窪みとして設けられる。円盤３の回転の中心となる部分の内部には、結合体４を着脱可能に連結する結合具３４が設けられる。結合具３４の中心部には、結合体４の雄ねじ部３０を装着する雌ねじ部３５が設けられる。円盤３における円盤２の側に位置する壁部３６には、押さえ収容部３７が雌ねじ部３５を囲みかつ円盤２の側に開口する窪みとして設けられる。押さえ収容部３７の底部には、雌ねじ部３５に連なる貫通孔３８が設けられる。
【００１２】
ベアリング５は、インナーリング４０とアウターリング４１との間に図外の多数個のボールと防塵シール４２とを備えた造形として、金属により構成される。一対のベアリング支持具２７；２８は、金属により構成される。
【００１３】
一方のベアリング支持具２７には、円盤状の中央部に貫通孔４４が設けられる。ベアリング支持具２７のベアリング５の側の面には、インナー支持部４５とベアリング逃げ部４６とアウター覆い部４７とが設けられる。インナー支持部４５は、貫通孔４４を囲むような突起として構成される。ベアリング逃げ部４６は、インナー支持部４５とアウター覆い部４７との間に位置してベアリング５の側に開口しかつベアリング５に接触しないような溝として構成される。アウター覆い部４７は、ベアリング逃げ部４６を囲みかつベアリング５に接触しないようにアウターリング４１の外周部を囲むような突起として構成される。
【００１４】
他方のベアリング支持具２８には、円盤状の中央部に貫通孔４８が設けられる。ベアリング支持具２８のベアリング５の側の面には、インナー支持部４９とベアリング逃げ部５０とアウター覆い部５１とが設けられる。インナー支持部４９は、貫通孔４８を囲むような突起として構成される。ベアリング逃げ部５０は、インナー支持部４９とアウター覆い部５１との間に位置してベアリング５の側に開口しかつベアリング５に接触しないような溝として構成される。アウター覆い部５１は、ベアリング逃げ部５０を囲みかつベアリング５に接触しないようにアウターリング４１の外周部を囲むような突起として構成される。
【００１５】
次に、回転体１の組み立て方について説明する。結合体４がインナー支持部４５とベアリング逃げ部４６とアウター覆い部４７との設けられていない側を円盤２の側に向けられたベアリング支持具２７の貫通孔４４に挿入され、ベアリング支持具２７が円盤２の押さえ収容部３２に収容される。又、ベアリング５が結合体４に装着される。又、インナー支持部４９とベアリング逃げ部５０とアウター覆い部５１との設けられていない側を円盤３の側に向けられたベアリング支持具２８が円盤３の押さえ収容部３７に収容される。
【００１６】
そして、結合体４のベアリング５よりも円盤３の側に突出した雄ねじ部３０が貫通孔４８；３８を経由して結合具３４の雌ねじ部３５に装着されることに伴い、図１に示すように、インナー支持部４５；４９がインナーリング４０を円盤２と円盤３とが対向する方向の両側から締め付けるように支持し、ベアリング逃げ部４６；５０とアウター覆い部４７；５１とがベアリング５に接触することなく、アウター覆い部４７；５１がアウターリング４１の外周部を覆う。これにより、インナーリング４０が円盤２；３と一体となり、アウターリング４１が円盤２；３と無関係に結合体４の円盤２；３の側に延びる中心線を回転中心して円周方向に回転可能となり、円盤２と円盤３とが結合体４で対向するように連なって一体となり、回転体１が構成される。
【００１７】
図３を参照し、円盤２の構造について説明する。円盤２は、結合体４と発光音装置７と中央飾り具５４と周縁飾り具５５と緩衝具５６と部品ホルダー５７と蓋固定具５８と盤躯体５９と電池蓋６０と飾り用ビス６１と蓋用ビス６２とを備える。結合体４は、六角頭付きのボルトのように、丸棒部６５の一端部に六角形のような角形の頭部６６を備え、丸棒部６５の他端部に雄ねじ部３０を備えた造形として、金属により構成される。
【００１８】
発光音装置７は、円盤状の回路基板１１に、スイッチ１２と躯体用光源１４と飾り用光源１５とスピーカ１６とスピーカ用逃げ部６８と取付用逃げ部６９と電池用端子７０とが設けられた構成である。スイッチ１２は、回路基板１１に実装された導電性の有る筒状の固定端子と、固定端子の内部に非接触に配置されて回路基板１１に実装された図外の導電性の有るコイル状の可動端子とを備え、回路基板１１がスピーカ用逃げ部６８の存在する中心部を回転中心として円周方向に回転するのに応じて可動端子が固定端子に接触するというようにオン動作する。
【００１９】
躯体用光源１４は、盤躯体５９の周面側を照明するものであり、ＬＥＤにより構成され、回路基板１１の周縁部の側に配置され、回路基板１１の部品ホルダー５７の側の面に実装された構成である。飾り用光源１５は、中央飾り具５４及び周縁飾り具５５を照明するものであり、ＬＥＤにより構成され、回路基板１１の中央部の側に配置され、回路基板１１の周縁飾り具５５の側の面に実装された構成である。スピーカ１６は、回路基板１１の周縁飾り具５５の側に配置される。スピーカ１６の音源である振動部７１は、回路基板１１に設けられた図外の回路の端子に図外の配線で接続されていて、周縁飾り具５５の側から回路基板１１のスピーカ用逃げ部６８に配置される。スピーカ１６の音を拡声するコーン部は回路基板１１に接触しないよう配置される。
【００２０】
スピーカ用逃げ部６８は、回路基板１１の中央部に設けられ、周縁飾り具５５の側と部品ホルダー５７の側とに貫通した孔として構成される。取付用逃げ部６９は、中央飾り具５４の取付部７８と同数設けられ、スピーカ用逃げ部６８の周囲において回路基板１１に設けられ、周縁飾り具５５の側と部品ホルダー５７の側とに貫通した孔として構成される。実施の形態では、電池１３として３個のボタン電池を使用する場合を例示したことから、電池用端子７０は回路基板１１の部品ホルダー５７の側の面に個別に設けられた３組として構成される。３組の電池用端子７０のそれぞれは、電池１３のマイナス電極を接続するマイナス端子と、電池１３のプラス電極を接続するプラス端子とから構成される。尚、図３には３個の電池１３のうちの１個だけが図示され、残りの２個が図示されていない。又、電池１３の個数は、３個に限定されるものではなく、単数でも複数でもよい。
【００２１】
中央飾り具５４は、傘部７４と鍔部７５と貫通孔７６と誘導部７７と取付部７８と位置決め部７９とを備えた造形として、有色な光透過性を有する合成樹脂により構成される。傘部７４は、中央飾り具５４の中心部に位置し、内側から外側に突出する円盤状になっている。傘部７４の内面は、光を乱反射する凹凸状になっている。鍔部７５は、傘部７４から直径方向の外側に突出する環状になっている。貫通孔７６は、傘部７４と鍔部７５との境に位置し、直径方向に貫通し、この実施の形態ではスピーカ１６から発生した音を円盤２の外に放出する機能を有する。
【００２２】
誘導部７７は、スピーカ１６から発生した音や飾り用光源１５から発生した光の一部を傘部７４の側に誘導するものであり、貫通孔７６を塞がないように傘部７４と鍔部７５との境から周縁飾り具５５の側に筒状に突出する。取付部７８は、発光音装置７と中央飾り具５４と周縁飾り具５５と緩衝具５６と部品ホルダー５７と盤躯体５９とを相互に一体となるように組み立てるものとして複数個設けられており、鍔部７５から周縁飾り具５５の側に筒状に突出する。位置決め部７９は一つの取付部７８の近傍に位置して鍔部７５から周縁飾り具５５の側に突出した突起として構成される。
【００２３】
周縁飾り具５５は、中央孔８１と鍔収容部８２と位置決め部８３と取付用逃げ部８４とレンズ部８５と周壁部８６とを備えた造形として、有色な光透過性を有する合成樹脂により構成される。中央孔８１は、誘導部７７を取り込むように中央飾り具５４の側と発光音装置７の側とに貫通する孔として構成される。鍔収容部８２は、鍔部７５を収容するように中央孔８１を囲みかつ中央飾り具５４の側に開口しかつ発光音装置７の側への窪みとして構成される。位置決め部８３及び取付用逃げ部８４は、鍔収容部８２に設けられ、中央孔８１に連なる。取付用逃げ部８４は、取付部７８と同数である。レンズ部８５は、鍔収容部８２から直径方向の外側に突出する環状になっている。レンズ部８５の発光音装置７の側の面は、光を乱反射する凹凸状になっている。周壁部８６は、レンズ部８５の外縁から発光音装置７の側に突出する。
【００２４】
緩衝具５６は、スピーカ１６の振動部７１と部品ホルダー５７との間で双方に接触するように配置されて振動部７１の振動が適切に発揮されるように機能する部品である。部品ホルダー５７は、緩衝収容部８８と位置決め部８９と固定具受け部９０とを備えると共に取付部７８を避ける造形として、合成樹脂により構成される。緩衝収容部８８は、緩衝具５６を発光音装置７の側から収容するように発光音装置７の側に開口しかつ盤躯体５９側への窪みとして構成される。位置決め部８９は、複数個設けられ、緩衝収容部８８の周囲に設けられた筒状の突起として構成される。固定具受け部９０は、蓋固定具５８を盤躯体５９から落下しないように受け止めるように緩衝収容部８８の周囲に設けられる。蓋固定具５８は、角形な板状の中央部に雌ねじ部を有するナットのような造形として、金属により構成される。
【００２５】
盤躯体５９は、周縁飾り具５５の周壁部８６を収容するように周縁飾り具５５の側が開口され、電池蓋６０の側及び直径方向の外側が塞がれた円盤状の容器の造形として、透明な合成樹脂により構成される。盤躯体５９における電池蓋６０の側を塞ぐ内壁９２には、中央孔９３と頭収容部９４と電池着脱用孔９５と固定具収容部９６と蓋収容部９７と取付孔９８；９９とが設けられる。中央孔９３は、盤躯体５９の回転中心を構成する部分に位置し、部品ホルダー５７の側と電池蓋６０の側とに貫通する孔として、内壁９２の中心部に設けられる。頭収容部９４は、結合体４の頭部６６を収容するように中央孔９３を囲みかつ部品ホルダー５７の側に開口しかつ電池蓋６０の側への窪みとして構成される。頭収容部９４の底部には、中央孔９３が開口する。電池着脱用孔９５は、電池１３と同数設けられ、部品ホルダー５７の側と電池蓋６０の側とに電池１３が行き来し得る貫通孔として、頭収容部９４の周囲に設けられる。
【００２６】
固定具収容部９６は、蓋固定具５８を回転しないように収容するように頭収容部９４の周囲に設けられ、部品ホルダー５７の側に開口しかつ電池蓋６０の側への窪みとして構成される。蓋収容部９７は、電池蓋６０をベアリング５の側から収容するように中央孔９３と電池着脱用孔９５と取付孔９８と取付孔９９とを囲みかつベアリング５の側に開口しかつ部品ホルダー５７の側への窪みとして構成される。取付孔９８は、取付部７８と同数設けられ、飾り用ビス６１の雄ねじ部を挿入するように部品ホルダー５７の側と電池蓋６０の側とに貫通する孔として、頭収容部９４の周囲に設けられる。取付孔９９は、蓋用ビス６２と同数設けられ、蓋用ビス６２の雄ねじ部を挿入するように部品ホルダー５７の側と電池蓋６０の側とに貫通する孔として、頭収容部９４の周囲に設けられる。
【００２７】
盤躯体５９における直径方向の外側を塞ぐ周壁１００には、躯体用光源１４を挿入する光源挿入孔１０１が設けられる。周壁１００の内面は、光を乱反射する凹凸状になっている。この光を乱反射する凹凸状は、例えば、部品ホルダー５７の側と電池蓋６０の側とに延びる半円形な凸条が、周壁１００の円周方向に連続した造形を構成する。これらの半円形な凸条は、周壁１００から盤躯体５９の中心部の側に突出した半円形になっている。
【００２８】
電池蓋６０は、押さえ収容部３２と中央孔１０３と取付孔１０４と位置決め部１０５と摩擦部１０６を備えると共に蓋収容部９７に収容可能な板状の造形として、透明な合成樹脂により構成される。飾り用ビス６１と蓋用ビス６２は、雄ねじ部の一端部に雄ねじ部よりも直径の大きな頭部を備えた造形として、金属により構成される。
【００２９】
図３において、円盤２を組み立てる場合について説明する。中央飾り具５４の誘導部７７と取付部７８と位置決め部７９とが周縁飾り具５５の外側（図３では周縁飾り具５５の左側と同義語）から周縁飾り具５５の中央孔８１と取付逃げ部８４と位置決め部８３とに個別に挿入され、中央飾り具５４の鍔部７５が周縁飾り具５５の鍔収容部８２に収容される。又、取付部７８の周縁飾り具５５よりも発光音装置７の側に突出した先端部が取付用逃げ部６９に挿入される。
【００３０】
又、緩衝具５６が部品ホルダー５７の側からスピーカ１６の振動部７１に被せられるように部品ホルダー５７の緩衝収容部８８に収容され、部品ホルダー５７が回路基板１１に重ね合わされる。このとき、部品ホルダー５７の回路基板１１の側に凸部として設けられた図外の位置決め部と回路基板１１に凹部として設けられた図外の位置決め部とが互いに嵌め合わされ、部品ホルダー５７が取付部７８と電池用端子７０とを避けるように配置される。
【００３１】
又、結合体４の雄ねじ部３０が盤躯体５９の外側（図３では盤躯体５９の左側と同義語）から中央孔９３に挿入され、結合体４の頭部６６が盤躯体５９の頭収容部９４に収容されることにより、結合体４が丸棒部６５の部品ホルダー５７の側と電池蓋６０の側とに延びる中心線を中心として円周方向に回転しないように盤躯体５９に嵌め込みにより装着される。又、蓋固定具５８が盤躯体５９の外側（図３では盤躯体５９の左側と同義語）から固定具収容部９６に挿入される。
【００３２】
そして、上記中央飾り具５４と周縁飾り具５５と発光音装置７と緩衝具５６と部品ホルダー５７とからなる部材と上記結合体４と蓋固定具５８と盤躯体５９とからなる部材とが互いに組み合わせられる。その場合、発光音装置７の躯体用光源１４が光源挿入孔１０１に挿入される一方、部品ホルダー５７の緩衝収容部８８が頭収容部９４を被覆して盤躯体５９の内壁９２の部品ホルダー５７の側の面に重ね合わされる。その後、飾り用ビス６１の雄ねじ部が電池蓋６０の側から取付孔９８を経由して取付部７８に装着され、飾り用ビス６１の頭部が取付孔９８の周りの内壁９２に着座して中央飾り具５４を盤躯体５９の側に引き付けることにより、飾り用ビス６１と取付部７８とが発光音装置７と中央飾り具５４と周縁飾り具５５と緩衝具５６と部品ホルダー５７と盤躯体５９とを相互にがたつきのないように一体となるように組み立てる。
【００３３】
更に、３個の電池１３が電池着脱用孔９５から電池用端子７０に接触するように個別に装着される。その場合、電池用端子７０の弧状の部分が自身の弾性で電池１３の円形の側面を一方向外側から中央部の側に押すことにより、電池１３の円形の側面の一部が電池着脱用孔９５の内面の位置で受け止められ、電池１３のマイナス電極が電池用端子７０のマイナス端子と接続すると共に電池１３のプラス電極が電池用端子７０のプラス端子と接続する状態が適切に保たれる。
【００３４】
最後に、電池蓋６０の位置決め部１０５が蓋収容部９７から盤躯体５９に凹部として設けられた図外の位置決め部に挿入され、電池蓋６０が蓋収容部９７に収容され、蓋用ビス６２の雄ねじ部が取付孔１０４；９９を経由して蓋固定具５８の雌ねじ部に装着され、蓋用ビス６２の頭部が取付孔１０４の周りの電池蓋６０に着座して電池蓋６０を盤躯体５９に固定する。これにより、円盤２の組み立てが完成する。この組み立てが完成した図３の円盤２を直径方向に切断した内部の構造は図１に円盤２の内部の構造の模式図として図示されているが、図１では図３の中央飾り具５４と周縁飾り具５５と盤躯体５９と電池蓋６０とが一体となった造形として表現されている。又、上記組み立てが完成した図３の円盤２を内壁９２の側から見た外観は図２に円盤２の外観の模式図として図示されているが、図３の盤躯体５９と電池蓋６０との一体となった造形が図２の壁部３１として表現されている。上記組み立てが完成した図３の円盤２において、電池１３を交換する場合、蓋用ビス６２が取り外されて、電池蓋６０が開放された状態において、古い電池１３を電池着脱用孔９５から盤躯体５９の外側に取り出した後、新しい電池１３を盤躯体５９の外側から電池着脱用孔９５を経由して回路基板１１の電池用端子７０に装着することができる。
【００３５】
図４を参照し、円盤３の構造について説明する。円盤３は、発光装置８と結合具３４と中央飾り具１１１、周縁飾り具１１２、部品ホルダー１１３、蓋固定具１１４、盤躯体１１５、電池蓋１１６、飾り用ビス１１７、蓋用ビス１１８を備える。
【００３６】
発光装置８は、円盤状の回路基板２１に、スイッチ２２と躯体用光源２４と飾り用光源２５とスピーカ擬似体２６と中央孔１２１と取付用逃げ部１２２と電池用端子１２３とが設けられた構成である。スイッチ２２は、回路基板２１に実装された導電性の有る筒状の固定端子と、固定端子の内部に非接触に配置されて回路基板２１に実装された図外の導電性の有るコイル状の可動端子とを備え、回路基板２１が中央孔１２１の存在する中心部を回転中心として円周方向に回転するのに応じて可動端子が固定端子に接触するというようにオン動作する。
【００３７】
躯体用光源２４は、盤躯体１１５の周面側を照明するものであり、ＬＥＤにより構成され、回路基板２１の周縁部の側に配置され、回路基板２１の部品ホルダー１１３の側の面に実装された構成である。飾り用光源２５は、中央飾り具１１１及び周縁飾り具１１２を照明するものであり、ＬＥＤにより構成され、回路基板２１の中央部の側に配置され、回路基板２１の周縁飾り具１１２の側の面に実装された構成である。スピーカ擬似体２６は、図１の回転体１の左右の重量のバランスを取るように、図３のスピーカ１６と緩衝具５６とを合わせた同じ重さを有する偽者として、回路基板２１の周縁飾り具１１２の側に配置される。尚、図３のスピーカ１６としては数グラムの重さのものを使用すれば、スピーカ擬似体２６を設けないことも考えられる。
【００３８】
図４に戻り、中央孔１２１は、回路基板２１の中央部に設けられ、周縁飾り具１１２の側と部品ホルダー１１３の側とに貫通した孔として構成される。取付用逃げ部１２２は、中央飾り具１１１の取付部１２９と同数設けられ、中央孔１２１の周囲において回路基板２１に設けられ、周縁飾り具１１２の側と部品ホルダー１１３の側とに貫通した孔として構成される。実施の形態では、電池２３として３個のボタン電池を使用する場合を例示したことから、電池用端子１２３は回路基板２１の部品ホルダー１１３の側の面に個別に設けられた３組として構成される。３組の電池用端子１２３のそれぞれは、電池２３のマイナス電極を接続するマイナス端子と、電池２３のプラス電極を接続するプラス端子とから構成される。尚、図４には３個の電池２３のうちの１個だけが図示され、残りの２個が図示されていない。又、電池２３の個数は、３個に限定されるものではなく、単数でも複数でもよい。
【００３９】
結合具３４は、角形な板状の中央部に雌ねじ部を有するナットのような造形として、金属により構成される。
【００４０】
中央飾り具１１１は、傘部１２５と鍔部１２６と貫通孔１２７と誘導部１２８と取付部１２９と位置決め部１３０とを備えた造形として、有色な光透過性を有する合成樹脂により構成される。傘部１２５は、中央飾り具１１１の中心部に位置し、内側から外側に突出する円盤状になっている。傘部１２５の内面は、光を乱反射する凹凸状になっている。鍔部１２６は、傘部１２５から直径方向の外側に突出する環状になっている。
【００４１】
誘導部１２８は、飾り用光源２５から発生した光の一部を傘部１２５の側に誘導するものであり、貫通孔１２７を塞がないように傘部１２５と鍔部１２６との境から周縁飾り具１１２の側に筒状に突出する。取付部１２９は、発光装置８と中央飾り具１１１と周縁飾り具１１２と部品ホルダー１１３と盤躯体１１５とを相互に一体となるように組み立てるものとして複数個設けられており、鍔部１２６から周縁飾り具１１２の側に筒状に突出する。位置決め部１３０は一つの取付部１２９の近傍に位置して鍔部１２６から周縁飾り具１１２の側に突出した突起として構成される。
【００４２】
周縁飾り具１１２は、中央孔１３２と鍔収容部１３３と位置決め部１３４と取付用逃げ部１３５とレンズ部１３６と周壁部１３７とを備えた造形として、有色な光透過性を有する合成樹脂により構成される。中央孔１３２は、誘導部１２８を取り込むように中央飾り具１１１の側と発光装置８の側とに貫通する孔として構成される。鍔収容部１３３は、鍔部１２６を収容するように中央孔１３２を囲みかつ中央飾り具１１１の側に開口しかつ発光装置８の側への窪みとして構成される。位置決め部１３４及び取付用逃げ部１３５は、鍔収容部１３３に設けられ、中央孔１３２に連なる。取付用逃げ部１２２は、取付部１２９と同数である。レンズ部１３６は、鍔収容部１３３から直径方向の外側に突出する環状になっている。レンズ部１３６の発光装置８の側の面は、光を乱反射する凹凸状になっている。周壁部１３７は、レンズ部１３６の外縁から発光装置８の側に突出する。
【００４３】
部品ホルダー１１３は、中央突部１３９と位置決め部１４０と固定具受け部１４１とを備えると共に取付部１２９を避ける造形として、合成樹脂により構成される。位置決め部１４０は、複数個設けられ、中央突部１３９の周囲に設けられた筒状の突起として構成される。固定具受け部１４１は、蓋固定具１１４を盤躯体１１５から落下しないように受け止めるように中央突部１３９の周囲に設けられる。蓋固定具１１４は、角形な板状の中央部に雌ねじ部を有するナットのような造形として、金属により構成される。
【００４４】
盤躯体１１５は、周縁飾り具１１２の周壁部１３７を収容するように周縁飾り具１１２の側が開口され、電池蓋１１６の側及び直径方向の外側が塞がれた円盤状の容器の造形として、透明な合成樹脂により構成される。盤躯体１１５における電池蓋１１６の側を塞ぐ内壁１４３には、中央孔１４４と結合具収容部１４５と電池着脱用孔１４６と固定具収容部１４７と蓋収容部１４８と取付孔１４９；１５０とが設けられる。中央孔１４４は、盤躯体１１５の回転中心を構成する部分に位置し、部品ホルダー１１３の側と電池蓋１１６の側とに貫通する孔として、内壁１４３の中心部に設けられる。結合具収容部１４５は、結合具３４を収容するように中央孔１４４を囲みかつ部品ホルダー１１３の側に開口しかつ電池蓋１１６の側への窪みとして構成される。結合具収容部１４５の底部には、中央孔１４４が開口する。電池着脱用孔１４６は、電池２３と同数設けられ、部品ホルダー１１３の側と電池蓋１１６の側とに電池２３が行き来し得る貫通孔として、結合具収容部１４５の周囲に設けられる。
【００４５】
固定具収容部１４７は、蓋固定具１１４を回転しないように収容するように結合具収容部１４５の周囲に設けられ、部品ホルダー１１３の側に開口しかつ電池蓋１１６の側への窪みとして構成される。蓋収容部１４８は、電池蓋１１６をベアリング５の側から収容するように中央孔１４４と電池着脱用孔１４６と取付孔１４９と取付孔１５０とを囲みかつベアリング５の側に開口しかつ部品ホルダー１１３の側への窪みとして構成される。取付孔１４９は、取付部１２９と同数設けられ、飾り用ビス１１７の雄ねじ部を挿入するように部品ホルダー１１３の側と電池蓋１１６の側とに貫通する孔として、結合具収容部１４５の周囲に設けられる。取付孔１５０は、蓋用ビス１１８と同数設けられ、蓋用ビス１１８の雄ねじ部を挿入するように部品ホルダー１１３の側と電池蓋１１６の側とに貫通する孔として、結合具収容部１４５の周囲に設けられる。
【００４６】
盤躯体１１５における直径方向の外側を塞ぐ周壁１５１には、躯体用光源２４を挿入する光源挿入孔１５２が設けられる。周壁１５１の内面は、光を乱反射する凹凸状になっている。この光を乱反射する凹凸状は、例えば、部品ホルダー１１３の側と電池蓋１１６の側とに延びる半円形な凸条が、周壁１５１の円周方向に連続した造形を構成する。これらの半円形な凸条は、周壁１５１から盤躯体１１５の中心部の側に突出した半円形になっている。
【００４７】
電池蓋１１６は、押さえ収容部３２と中央孔１５４と取付孔１５５と位置決め部１５６と摩擦部１５７を備えると共に蓋収容部１４８に収容可能な板状の造形として、透明な合成樹脂により構成される。飾り用ビス１１７と蓋用ビス１１８は、雄ねじ部の一端部に雄ねじ部よりも直径の大きな頭部を備えた造形として、金属により構成される。
【００４８】
図４において、円盤３を組み立てる場合について説明する。中央飾り具１１１の誘導部１２８と取付部１２９と位置決め部１３０とが周縁飾り具１１２の外側（図４では周縁飾り具１１２の右側と同義語）から周縁飾り具１１２の中央孔１３２と取付逃げ部１３５と位置決め部１３４とに個別に挿入され、中央飾り具１１１の鍔部１２６が周縁飾り具１１２の鍔収容部１３３に収容される。又、取付部１２９の周縁飾り具１１２よりも発光装置８の側に突出した先端部が取付用逃げ部１２２に挿入される。
【００４９】
又、部品ホルダー１１３が回路基板２１に重ね合わされる。このとき、部品ホルダー１１３の回路基板２１の側に凸部として設けられた図外の位置決め部と回路基板２１に凹部として設けられた図外の位置決め部とが互いに嵌め合わされ、部品ホルダー１１３が取付部１２９と電池用端子１２３とを避けるように配置される。
【００５０】
又、結合具３４が盤躯体１１５の外側（図４では盤躯体１１５の右側と同義語）から結合具収容部１４５に収容されることにより、結合具３４が部品ホルダー１１３の側と電池蓋１１６の側とに延びる中心線を中心として円周方向に回転しないように盤躯体１１５に嵌め込みにより装着される。又、蓋固定具１１４が盤躯体１１５の外側（図４では盤躯体１１５の右側と同義語）から固定具収容部１４７に挿入される。
【００５１】
そして、上記中央飾り具１１１と周縁飾り具１１２と発光装置８と部品ホルダー１１３とからなる部材と上記結合具３４と蓋固定具１１４と盤躯体１１５とからなる部材とが互いに組み合わせられる。その場合、発光装置８の躯体用光源２４が光源挿入孔１５２に挿入される一方、中央飾り具１１１の中央突部１３９が結合具収容部１４５を被覆して盤躯体１１５の内壁１４３の部品ホルダー１１３の側の面に重ね合わされる。その後、飾り用ビス１１７の雄ねじ部が電池蓋１１６の側から取付孔１４９を経由して取付部１２９に装着され、飾り用ビス１１７の頭部が取付孔１４９の周りの内壁１４３に着座して中央飾り具１１１を盤躯体１１５の側に引き付けることにより、飾り用ビス１１７と取付部１２９とが発光装置８と中央飾り具１１１と周縁飾り具１１２と緩衝具５６と部品ホルダー１１３と盤躯体１１５とを相互にがたつきのないように一体となるように組み立てる。
【００５２】
更に、３個の電池２３が電池着脱用孔１４６から電池用端子１２３に接触するように個別に装着される。その場合、電池用端子１２３の弧状の部分が自身の弾性で電池２３の円形の側面を一方向外側から中央部の側に押すことにより、電池２３の円形の側面の一部が電池着脱用孔１４６の内面の位置で受け止められ、電池２３のマイナス電極が電池用端子１２３のマイナス端子と接続すると共に電池２３のプラス電極が電池用端子１２３のプラス端子と接続する状態が適切に保たれる。
【００５３】
最後に、電池蓋１１６の位置決め部１５６が蓋収容部１４８から盤躯体１１５に凹部として設けられた図外の位置決め部に挿入され、電池蓋１１６が蓋収容部１４８に収容され、蓋用ビス１１８の雄ねじ部が取付孔１５５；１５０を経由して蓋固定具１１４の雌ねじ部に装着され、蓋用ビス１１８の頭部が取付孔１５５の周りの電池蓋１１６に着座して電池蓋１１６を盤躯体１１５に固定する。これにより、円盤３の組み立てが完成する。この組み立てが完成した図４の円盤３を直径方向に切断した内部の構造は図１に円盤３の内部の構造の模式図として図示されているが、図１では図４の中央飾り具１１１と周縁飾り具１１２と盤躯体１１５と電池蓋１１６とが一体となった造形として表現されている。又、上記組み立てが完成した図４の円盤３を内壁１４３の側から見た外観は図２に円盤３の外観の模式図として図示されているが、図４の盤躯体１１５と電池蓋１１６との一体となった造形が図２の壁部３６として表現されている。上記組み立てが完成した図４の円盤３において、電池２３を交換する場合、蓋用ビス１１８が取り外されて、電池蓋１１６が開放された状態において、古い電池２３を電池着脱用孔１４６から盤躯体１１５の外側に取り出した後、新しい電池２３を盤躯体１１５の外側から電池着脱用孔１４６を経由して回路基板２１の電池用端子１２３に装着することができる。
【００５４】
図４において、発光装置８に代替し、図３の発光音装置７を円盤３に組み込んで、円盤３からも光と音とがでるようにしてもよい。又、図４において、回路基板２１から躯体用光源２４と飾り用光源２５とを除去し、回路基板２１に図３のスピーカ１６に相当するスピーカを設けて発音装置と成し、この発音装置を発光装置８に代替して円盤３に組み込んで円盤３から光は出ないが音が出るようにしもよい。
【符号の説明】
【００５５】
１は回転体、２は円盤、３は円盤、４は結合体、５はベアリング、６は紐、７は発光音装置、８は発光装置、９は欠番、１０は欠番、１１は回路基板、１２はスイッチ、１３は電池、１４は躯体用光源、１５は飾り用光源、１６はスピーカ、１７乃至２０は欠番、２１は回路基板、２２はスイッチ、２３は電池、２４は躯体用光源、２５は飾り用光源、２６は欠番、２７；２８はベアリング支持具、２９は欠番、３０は雄ねじ部、３１は壁部、３２は押さえ収容部、３４は結合具、３５は雌ねじ部、３６は壁部、３７は押さえ収容部、３８は貫通孔、３９は欠番、４０はインナーリング、４１はアウターリング、４２は防塵シール、４３は欠番、４４は貫通孔、４５はインナー支持部、４６はベアリング逃げ部、４７はアウター覆い部、４８は貫通孔、４９はインナー支持部、５０はベアリング逃げ部、５１はアウター覆い部、５２；５３は欠番、５４は中央飾り具、５５は周縁飾り具、５６は緩衝具、５７は部品ホルダー、５８は蓋固定具、５９は盤躯体、６０は電池蓋、６１は飾り用ビス、６２は蓋用ビス、６３は欠番、６４は欠番、６５は丸棒部、６６は頭部、
６７は欠番、６８はスピーカ用逃げ部、６９は取付用逃げ部、７０は電池用端子、７１は振動部、７２は欠番、７３は欠番、７４は傘部、７５は鍔部、７６は貫通孔、７７は誘導部、７８は取付部、７９は位置決め部、８０は欠番、８１は中央孔、８２は鍔収容部、８３は位置決め部、８４は取付用逃げ部、８５はレンズ部、８６は周壁部、８７は欠番、８８は緩衝収容部、８９は位置決め部、９０は固定具受け部、９１は欠番、９２は内壁、９３は中央孔、９４は頭収容部、９５は電池着脱用孔、９６は固定具収容部、９７は蓋収容部、９８は取付孔、９９は取付孔、１００は周壁、１０１は光源挿入孔、１０２は欠番、１０３は中央孔、１０４は取付孔、１０５は位置決め部、１０６は摩部、１０７乃至１１０は欠番、１１１は中央飾り具、１１２は周縁飾り具、１１３は部品ホルダー、１１４は蓋固定具、１１５は盤躯体、１１６は電池蓋、１１７は飾り用ビス、１１８は蓋用ビス、１１９は欠番、１２０は欠番、１２１は中央孔、１２２は取付用逃げ部、１２３は電池用端子、１２４は欠番、１２５は傘部、１２６は鍔部、１２７は貫通孔、１２８は誘導部、１２９は取付部、１３０は位置決め部、１３１は欠番、１３２は中央孔、１３３は鍔収容部、１３４は位置決め部、１３５は取付用逃げ部、１３６はレンズ部、１３７は周壁部、１３８は欠番、１３９は中央突部、１４０は位置決め部、１４１は固定具受け部、１４２は欠番、１４３は内壁、１４４は中央孔、１４５は結合具収容部、１４６は電池着脱用孔、１４７は固定具収容部、１４８は蓋収容部、１４９は取付孔、１５０は取付孔、１５１は周壁、１５２は光源挿入孔、１５３は欠番、１５４は中央孔、１５５は取付孔、１５６は位置決め部、１５７は摩擦部。
【図１】
2013094601.tif 000003
【図２】
2013094601.tif 000004
【図３】
2013094601.tif 000005
【図４】
2013094601.tif 000006